(57)【特許請求の範囲】
【請求項１】
プロセッサを備えた通信装置であって、
前記プロセッサは、
エントリ毎に、個人を識別する識別情報及び、対応する個人の認証に使用する認証用画像が格納された電話帳内の任意のエントリに対する削除指示が検出されると、前記削除指示のエントリに対応する前記認証用画像を用いて、各個人に関わる画像情報を記憶した記憶部から、当該削除指示のエントリに対応した当該個人に関わる画像情報を検索して削除する
ことを特徴とする通信装置。
【請求項２】
前記プロセッサは、
前記削除指示のエントリに対応した当該個人に関わる情報の内、少なくとも通信情報及び画像情報の何れか一つを含む情報を前記記憶部から削除する
ことを特徴とする請求項１に記載の通信装置。
【請求項３】
前記プロセッサは、
前記エントリ毎に、対応する個人の通信宛先に使用する宛先情報が格納された前記電話帳から前記削除指示のエントリに対応する前記宛先情報を用いて、各個人に関わる通信情報を記憶した前記記憶部から、当該宛先情報の個人に関わる通信情報を検索して削除する
ことを特徴とする請求項１に記載の通信装置。
【請求項４】
プロセッサを備えた通信装置であって、
前記プロセッサは、
エントリ毎に、個人を識別する識別情報及び、対応する個人の認証に使用する認証用画像が格納された電話帳内の任意のエントリに対する削除指示が検出されると、前記削除指示のエントリに対応する前記認証用画像を用いて、当該認証用画像の個人に関わる画像情報を当該通信装置から検索し、
検索された画像情報内の画像で前記電話帳内の当該削除指示のエントリ以外のエントリに対応した認証用画像が検索されなかった場合に、前記検索された画像情報を当該通信装置から削除する
ことを特徴とする通信装置。
【請求項５】
通信装置により実行される制御プログラムであって、
エントリ毎に、個人を識別する識別情報及び、対応する個人の認証に使用する認証用画像が格納された電話帳内の任意のエントリに対する削除指示が検出されると、前記削除指示のエントリに対応する前記認証用画像を用いて、各個人に関わる画像情報を記憶した記憶部から、当該削除指示のエントリに対応した当該個人に関わる画像情報を検索して削除する
処理を前記通信装置に実行させることを特徴とする制御プログラム。
【請求項６】
通信装置により実行される制御プログラムであって、
エントリ毎に、個人を識別する識別情報及び、対応する個人の認証に使用する認証用画像が格納された電話帳内の任意のエントリに対する削除指示が検出されると、前記削除指示のエントリに対応する前記認証用画像を用いて、当該認証用画像の個人に関わる画像情報を当該通信装置から検索し、
検索された画像情報内の画像で前記電話帳内の当該削除指示のエントリ以外のエントリに対応した認証用画像が検索されなかった場合に、前記検索された画像情報を当該通信装置から削除する
処理を前記通信装置に実行させることを特徴とする制御プログラム。
【請求項７】
通信装置が実行する制御方法であって、
前記通信装置が、
エントリ毎に、個人を識別する識別情報及び、対応する個人の認証に使用する認証用画像が格納された電話帳内の任意のエントリに対する削除指示が検出されると、前記削除指示のエントリに対応する前記認証用画像を用いて、各個人に関わる画像情報を記憶した記憶部から、当該削除指示のエントリに対応した当該個人に関わる画像情報を検索して削除する
処理を実行することを特徴とする制御方法。
【請求項８】
通信装置が実行する制御方法であって、
前記通信装置が、
エントリ毎に、個人を識別する識別情報及び、対応する個人の認証に使用する認証用画像が格納された電話帳内の任意のエントリに対する削除指示が検出されると、前記削除指示のエントリに対応する前記認証用画像を用いて、当該認証用画像の個人に関わる画像情報を当該通信装置から検索し、
検索された画像情報内の画像で前記電話帳内の当該削除指示のエントリ以外のエントリに対応した認証用画像が検索されなかった場合に、前記検索された画像情報を当該通信装置から削除する
処理を実行することを特徴とする制御方法。
【発明の詳細な説明】
【技術分野】
【０００１】
本発明は、通信装置、制御プログラム及び制御方法に関する。
【背景技術】
【０００２】
携帯電話機には、例えば、通信相手先の個人の名称、電話番号や電子メールのアドレス等を対応付けてエントリ単位で管理された電話帳が記憶されている。そして、通信装置の利用者は、電話帳を用いて円滑な通信を実現している。
【０００３】
また、携帯電話機では、例えば、写真等の画像や、電子メール機能で送受信した電子メール等の各種情報が記憶されている。
【０００４】
また、近年、携帯電話機には、記憶されている電話帳やメール等の各種情報を遠隔操作で一括削除できる機能が知られている。その結果、携帯電話機の利用者は、携帯電話機自体を紛失した場合でも、遠隔操作で携帯電話機に記憶されている電話帳やメール等の各種情報を削除できる。
【先行技術文献】
【特許文献】
【０００５】
【特許文献１】特開２００５−２０２６４４号公報
【発明の概要】
【発明が解決しようとする課題】
【０００６】
上記携帯電話機等の通信装置では、個人を特定することなく、電話帳や各種情報等の情報種別単位で各種情報を一括削除するものである。
【０００７】
しかしながら、上記通信装置では、電話帳内の特定個人のエントリを指定して削除できるものの、電話帳内のエントリの削除に伴って、当該エントリに対応した特定個人の写真画像やメールを削除するものではない。従って、その都度、利用者が膨大な量のデータから特定個人の写真画像やメールを個別に指定して削除する作業負担は大である。
【０００８】
一つの側面は、電話帳内の特定個人に関連する情報を簡単に削除できる通信装置、制御プログラム及び制御方法を提供することを目的とする。
【課題を解決するための手段】
【０００９】
開示の態様は、プロセッサを備えた通信装置である。前記プロセッサは、エントリ毎に個人を識別する識別情報が格納された電話帳内の任意のエントリに対する削除指示が検出されると、各個人に関わる情報を記憶した記憶部から、当該削除指示のエントリに対応した当該個人に関わる情報を削除することを特徴とする。
【発明の効果】
【００１０】
開示の態様では、電話帳内の特定個人に関連する情報を簡単に削除できる。
【図面の簡単な説明】
【００１１】
【図１】図１は、実施例１の携帯電話機の一例を示す説明図である。
【図２】図２は、電話帳の一例を示す説明図である。
【図３】図３は、画像フォルダ内の写真画像の一例を示す説明図である。
【図４】図４は、特定画像削除処理に関わる携帯電話機のプロセッサの処理動作の一例を示すフローチャートである。
【図５】図５は、写真内顔認識処理に関わる携帯電話機のプロセッサの処理動作の一例を示すフローチャートである。
【図６】図６は、メールフォルダの一例を示す説明図である。
【図７】図７は、特定メール削除処理に関わる携帯電話機のプロセッサの処理動作の一例を示すフローチャートである。
【図８】図８は、添付ファイル削除処理に関わる携帯電話機のプロセッサの処理動作の一例を示すフローチャートである。
【図９】図９は、特定情報削除処理に関わる携帯電話機のプロセッサの処理動作の一例を示すフローチャートである。
【図１０】図１０は、制御プログラムを実行するコンピュータを示す説明図である。
【発明を実施するための形態】
【００１２】
以下、図面に基づいて、本願の開示する通信装置、制御プログラム及び制御方法の実施例を詳細に説明する。尚、本実施例により、開示技術が限定されるものではない。また、以下に示す各実施例は、矛盾を起こさない範囲で適宜組み合わせても良い。
【実施例１】
【００１３】
図１は、実施例１の携帯電話機１の一例を示すブロック図である。図１に示す携帯電話機１は、アンテナ１１と、無線部１２と、オーディオ入出力部１３と、スピーカ１４と、マイク１５と、カメラ部１６と、キー入力部１７と、表示部１８と、記憶部１９と、ＳＤ（Secure  Digital）カード部２０と、プロセッサ２１とを有する。無線部１２は、アンテナ１１を通じて無線電波を送受信する通信機能を有する。オーディオ入出力部１３は、電気信号を音響信号に変換してスピーカ１４から音響出力すると共に、マイク１５を通じて収音された音響信号を電気信号に変換する。カメラ部１６は、被写体を撮像して写真等の画像を取得する。キー入力部１７は、各種情報、例えば、ユーザによるコマンド等の入力操作を受け付ける操作部である。
【００１４】
表示部１８は、各種情報、例えば、電子メール（以下、単にメールと称する）の本文や添付ファイル等を画面表示するものである。記憶部１９は、ＲＯＭ（Read  Only  Memory）１９Ａと、ＲＡＭ（Random  Access  Memory）１９Ｂとを有する。ＲＯＭ１９Ａには、各種情報、例えば、後述する制御プログラム等の各種プログラムが格納される。尚、ＲＯＭ１９Ａは、書換え可能なＥＰＲＯＭでも良い。ＲＡＭ１９Ｂには、各種情報、例えば、メール等の本文、添付ファイルや電話帳等が格納される。尚、ＲＡＭ１９Ｂは、例えば、受信メールや送信メールの本文を保存するメールフォルダと、写真画像等を保存する画像フォルダと、添付ファイル等を保存するフォルダと、削除対象のデータを一時的に保存する削除フォルダとを有する。
【００１５】
また、プロセッサ２１は、メールの本文をＲＡＭ１９Ｂ内のメールフォルダ内に保存する。プロセッサ２１は、添付ファイルが存在し、添付ファイルがメールの本文と一体型の場合、添付ファイルは本文と一緒にメールフォルダに保存する。また、プロセッサ２１は、添付ファイルが本文と別個の場合、本文をメールフォルダ内に保存すると共に、添付ファイルを別フォルダに保存する。尚、添付ファイルには、写真画像等の画像ファイルや文章等のテキストファイル等がある。更に、プロセッサ２０は、指示に応じて、削除フォルダに格納された情報を削除する。尚、写真画像等の画像ファイルは、メールに添付されたものが携帯電話機１に取り込まれる場合もあれば、画像取り込み機能により携帯電話機１に取り込まれる場合もある。
【００１６】
図２は、電話帳の一例を示す説明図である。図２に示す電話帳２０Ａは、名前２０１Ａと、電話番号２０１Ｂと、アドレス２０１Ｃと、認証用画像ファイル名２０１Ｄと、認証用画像２０１Ｅとをエントリ毎に対応付けて管理している。名前２０１Ａは、エントリに対応した個人を識別する名称等である。電話番号２０１Ｂは、当該エントリに対応した個人の電話番号である。アドレス２０１Ｃは、当該エントリに対応した個人のメールアドレスである。認証用画像ファイル名２０１Ｄは、当該エントリに対応した個人の顔認証に使用する画像のファイル名である。認証用画像２０１Ｅは、当該エントリに対応した個人の顔認証に使用する画像である。例えば、名前２０１Ａの「Ａさん」のエントリには、電話番号２０１Ｂの「０９０−１１１−２２２２」、アドレス２０１Ｃの「ａａａ＠ｄｏ．ｎｅ．ｊｐ」、認証用画像ファイル名２０１Ｄの「顔写真Ａ．ｊｐｅｇ」及び、認証用画像２０１Ｅが格納されている。
【００１７】
図３は、画像フォルダ内の写真画像の一例を示す説明図である。図３に示す画像フォルダ２０Ｂには、例えば、写真画像２０２Ａ、写真画像２０２Ｂ及び写真画像２０２Ｃ等が格納されている。尚、写真画像２０２Ａは「Ａさん」の顔画像である。写真画像２０２Ｂには、「Ａさん」及び「Ｂさん」の顔画像が含まれている。また、写真画像２０２Ｃには、「Ａさん」及び「Ｚさん」の顔画像が含まれている。
【００１８】
プロセッサ２１は、電話帳２０Ａ内の任意のエントリの削除指示が検出されると、当該削除指示のエントリに対応した特定個人に関わる情報、例えば、写真画像等の画像情報を画像フォルダ２０Ｂから削除する。尚、写真画像が画像フォルダ２０Ｂ以外のフォルダにも含まれる場合には、画像フォルダ２０Ｂ以外のフォルダからも特定個人の画像情報を削除する。
【００１９】
また、プロセッサ２１は、電話帳２０Ａ内に削除指示のエントリに対応した認証用画像２０１Ｅがある場合、削除指示のエントリに対応した認証用画像２０１Ｅを用いて特定個人の写真画像を画像フォルダ２０Ｂ内から検索する。更に、プロセッサ２１は、検索された写真画像内の顔画像を用いて電話帳２０Ａ内の削除指示のエントリ以外のエントリの個人の認証用画像２０１Ｅを検索する。プロセッサ２１は、写真画像内の顔画像を用いて電話帳２０Ａ内の削除指示のエントリ以外のエントリの個人の認証用画像２０１Ｅが検索できた場合、検索された写真画像を画像フォルダ２０Ｂに残す。また、プロセッサ２１は、写真画像内の顔画像を用いて電話帳２０Ａ内の削除指示のエントリ以外のエントリの個人の認証用画像２０１Ｅが検索できなかった場合、検索された写真画像を画像フォルダ２０Ｂから削除フォルダに移動する。そして、プロセッサ２１は、電話帳２０Ａ内の削除指示の特定個人のエントリを削除する際、削除フォルダ内に保存された特定個人の写真画像を削除する。
【００２０】
次に、実施例１の携帯電話機１の動作について説明する。図４は、特定画像削除処理に関わる携帯電話機１のプロセッサ２１の処理動作の一例を示すフローチャートである。図４に示す特定画像削除処理は、電話帳２０Ａ内のエントリの削除指示に応じて、削除対象のエントリに対応した特定個人の写真画像を画像フォルダ２０Ｂから検索して削除する処理である。
【００２１】
図４においてプロセッサ２１は、電話帳２０Ａ内のエントリの削除指示を検出したか否かを判定する（ステップＳ１１）。プロセッサ２１は、電話帳２０Ａ内のエントリの削除指示を検出した場合（ステップＳ１１肯定）、削除対象のエントリに対応する特定個人の認証用画像２０１Ｅがあるか否かを判定する（ステップＳ１２）。
【００２２】
プロセッサ２１は、削除対象のエントリに対応する認証用画像２０１Ｅがある場合（ステップＳ１２肯定）、認証用画像２０１Ｅの顔認識で写真画像を画像フォルダ２０Ｂから検索する（ステップＳ１３）。尚、プロセッサ２１は、認証用画像２０１Ｅの特定個人を含む写真画像を画像フォルダ２０Ｂから検索する。
【００２３】
また、プロセッサ２１は、認証用画像２０１Ｅの顔認識で一致した写真画像があるか否かを判定する（ステップＳ１４）。プロセッサ２１は、認証用画像２０１Ｅの顔認識で一致した写真画像がある場合（ステップＳ１４肯定）、写真画像内に他の顔画像があるか否かを判定する（ステップＳ１５）。
【００２４】
プロセッサ２１は、写真画像内に他の顔画像がある場合（ステップＳ１５肯定）、後述する図５に示す写真内顔認識処理を実行する（ステップＳ１６）。プロセッサ２１は、写真内顔認識処理を実行した後、画像フォルダ２０Ｂ内の全写真画像の検索が終了したか否かを判定する（ステップＳ１７）。プロセッサ２１は、全写真画像の検索が終了した場合（ステップＳ１７肯定）、削除対象のエントリを削除し（ステップＳ１８）、図４に示す処理動作を終了する。尚、削除対象のエントリの削除は、電話帳２０Ａ内の削除対象のエントリの削除の他に、削除フォルダに格納された写真画像の削除を含む。
【００２５】
また、プロセッサ２１は、エントリの削除指示を検出しなかった場合（ステップＳ１１否定）、図４に示す処理動作を終了する。また、プロセッサ２１は、削除対象のエントリに対応する認証用画像２０１Ｅがない場合（ステップＳ１２否定）、電話帳２０Ａ内の削除対象のエントリを削除すべく、ステップＳ１８に移行する。
【００２６】
また、プロセッサ２１は、顔認識で一致した写真画像がない場合（ステップＳ１４否定）、全写真画像の検索が終了したか否かを判定すべく、ステップＳ１７に移行する。また、プロセッサ２１は、写真画像内に他の顔画像がない場合（ステップＳ１５否定）、この写真画像を削除フォルダに移動し（ステップＳ１９）、画像フォルダ２０Ｂ内の全写真画像の検索が終了したか否かを判定すべく、ステップＳ１７に移行する。また、プロセッサ２１は、全写真画像の検索が終了していない場合（ステップＳ１７否定）、認証用画像２０１Ｅの顔認識で写真画像を検索すべく、ステップＳ１３に移行する。
【００２７】
図４に示す特定画像削除処理においてプロセッサ２１は、電話帳２０Ａ内のエントリに対して削除指示が検出されると、削除指示のエントリの認証用画像２０１Ｅを用いて当該認証用画像２０１Ｅの特定個人の写真画像を画像フォルダ２０Ｂから検索する。更に、プロセッサ２１は、検索された写真画像内に他のエントリの個人の顔画像と一致していない場合、その写真画像を削除フォルダに移動し、削除対象のエントリ及び削除フォルダ内の特定個人の写真画像を削除する。その結果、利用者は、電話帳２０Ａ内の削除対象の特定個人のエントリだけでなく、その特定個人が含まれた写真画像を削除できる。
【００２８】
図５は、写真内顔認識処理に関わる携帯電話機１のプロセッサ２１の処理動作の一例を示すフローチャートである。図５に示す写真内顔認識処理は、写真画像内の特定個人以外の個人の顔画像を用いて電話帳２０Ａ内の特定個人のエントリ以外のエントリの個人の認証用画像２０１Ｅを検索できたか否かを判定する処理である。
【００２９】
図５においてプロセッサ２１は、写真画像内の特定個人以外の顔画像を用いて、電話帳２０Ａ内の認証用画像２０１Ｅを検索する（ステップＳ２１）。プロセッサ２１は、写真画像内の特定個人以外の顔画像を用いて電話帳２０Ａ内の認証用画像２０１Ｅを検索し、写真画像内の特定個人以外の顔画像と認証用画像２０１Ｅとが顔認識で一致したか否かを判定する（ステップＳ２２）。
【００３０】
プロセッサ２１は、顔認識で一致しなかった場合（ステップＳ２２否定）、写真画像を削除フォルダに移動し（ステップＳ２３）、図５に示す処理動作を終了する。また、プロセッサ２１は、顔認識で一致した場合（ステップＳ２２肯定）、写真画像を削除せず、図５に示す処理動作を終了する。
【００３１】
図５に示す写真内顔認識処理においてプロセッサ２１は、写真画像内の特定個人以外の顔画像で電話帳２０Ａ内の認証用画像２０１Ｅを検索する。更に、プロセッサ２１は、顔認識で一致した場合、その写真画像は電話帳２０Ａ内の他のエントリに登録された個人も写っているため、その写真画像の削除を禁止する。
【００３２】
また、プロセッサ２１は、顔認識で一致しなかった場合、その写真画像には電話帳２０Ａ内の他のエントリに未登録の個人であるため、その写真画像を削除フォルダに移動する。
【００３３】
実施例１のプロセッサ２１は、電話帳２０Ａ内のエントリに対する削除指示が検出されると、削除対象のエントリに格納された認証用画像２０１Ｅを用いて特定個人の写真画像を画像フォルダ２０Ｂから検索する。そして、プロセッサ２１は、特定個人の写真画像が検索された場合、写真画像内に特定個人以外の顔画像がない場合、その写真画像を削除フォルダに移動し、特定個人のエントリと一緒に、削除フォルダ内の特定個人の写真画像を削除する。その結果、利用者は、特定個人のエントリの削除と一緒に、特定個人の写真画像を簡単に削除できる。
【００３４】
プロセッサ２１は、特定個人の写真画像が検索された場合、写真画像内に特定個人以外の顔画像があり、かつ、顔画像を用いて電話帳２０Ａ内の特定個人のエントリ以外の認証用画像２０１Ｅを検索できない場合、その写真画像を削除フォルダに移動する。その結果、利用者は、特定個人のエントリと一緒に、特定個人の写真画像を簡単に削除できる。
【００３５】
また、プロセッサ２１は、特定個人の写真画像内に特定個人以外の顔画像があり、かつ、その顔画像を用いて電話帳２０Ａ内の特定個人のエントリ以外の認証用画像２０１Ｅが検索できた場合、写真画像の削除フォルダへの移動を禁止する。その結果、利用者は、特定個人の写真画像でも、その写真画像内に他のエントリの個人の顔画像が含まれている場合には、その写真画像の削除を禁止する。
【００３６】
尚、上記実施例１では、電話帳２０Ａ内の任意のエントリの削除指示が検出されると、削除対象のエントリの特定個人の写真画像を画像フォルダ２０Ｂから検索して削除した。しかしながら、特定個人の写真画像ではなく、特定個人のメール、例えば、受信メールや送信メールをメールフォルダから検索して削除するようにしても良く、この場合の実施の形態につき、実施例２として以下に説明する。
【実施例２】
【００３７】
次に、実施例２の携帯電話機１について説明する。尚、実施例１の携帯電話機１と同一の構成には同一符号を付すことで、その重複する構成及び動作の説明については省略する。図６は、メールフォルダ内のメールの一例を示す説明図である。
【００３８】
図６に示すメールフォルダ２０Ｃには、受信フォルダ２０３と、送信フォルダ２０４とを有する。受信フォルダ２０３は、発信元アドレス２０３Ａと、本文２０３Ｂと、添付ファイル２０３Ｃとを対応付けて管理する。送信フォルダ２０４は、宛先アドレス２０４Ａと、本文２０４Ｂと、添付ファイル２０４Ｃとを対応付けて管理する。
【００３９】
プロセッサ２１は、電話帳２０Ａ内の任意エントリの削除指示が検出されると、削除対象のエントリの特定個人のアドレスを用いて該当アドレスの受信メール及び送信メールをメールフォルダ２０Ｃから検索する。更に、プロセッサ２１は、検索メールに添付ファイル２０３Ｃ（２０４Ｃ）がない場合、検索メールを削除フォルダに移動する。
【００４０】
また、プロセッサ２１は、検索メールに添付ファイル２０３Ｃ（２０４Ｃ）がある場合、添付ファイル２０４Ｃを削除フォルダに移動する。尚、メールには、添付ファイル２０３Ｃ（２０４Ｃ）が本文２０３Ｂ（２０４Ｂ）に格納される本文一体型と、添付ファイル２０３Ｃ（２０４Ｃ）が本文２０３Ｂ（２０４Ｂ）と別領域に格納される別体型とがある。
【００４１】
プロセッサ２１は、検索メールに添付ファイル２０３Ｃ（２０４Ｃ）がある場合、添付ファイルのタイプを判別する。そして、プロセッサ２１は、添付ファイルが本文一体型の場合、検索メールを削除フォルダに移動して削除する。その結果、本文一体型の場合、本文と一緒に添付ファイルも併せて削除できる。また、プロセッサ２１は、添付ファイルが別体型の場合、別フォルダに格納された添付ファイル及びメールフォルダに格納された本文を削除フォルダに移動して削除する。その結果、別体型の場合、本文と一緒に添付ファイルも併せて削除できる。
【００４２】
次に、実施例２の携帯電話機１の動作について説明する。図７は、特定メール削除処理に関わる携帯電話機１のプロセッサ２１の処理動作の一例を示すフローチャートである。図７に示す特定メール削除処理は、電話帳２０Ａ内のエントリ削除指示に応じて、削除対象のエントリに格納された特定個人のアドレスを用いて特定個人のメールをメールフォルダ２０Ｃから検索して削除する処理である。
【００４３】
図７においてプロセッサ２１は、電話帳２０Ａ内のエントリの削除指示を検出したか否かを判定する（ステップＳ３１）。プロセッサ２１は、エントリの削除指示を検出した場合（ステップＳ３１肯定）、削除対象のエントリに対応した特定個人のアドレスがあるか否かを判定する（ステップＳ３２）。
【００４４】
プロセッサ２１は、削除対象のエントリに対応した特定個人のアドレスがある場合（ステップＳ３２肯定）、特定個人のアドレスを用いて該当アドレスのメールをメールフォルダ２０Ｃから検索する（ステップＳ３３）。プロセッサ２１は、該当アドレスの該当メールがあるか否かを判定する（ステップＳ３４）。尚、該当アドレスのメールがあるか否かの判定は、送信メール又は受信メールの宛先アドレスや発信元アドレス内に該当アドレスがあるか否かで判定する。
【００４５】
プロセッサ２１は、該当メールがある場合（ステップＳ３４肯定）、該当メールに添付ファイルがあるか否かを判定する（ステップＳ３５）。プロセッサ２１は、該当メールに添付ファイルがある場合（ステップＳ３５肯定）、添付ファイルを含む本文を削除フォルダに移動する、図８に示す添付ファイル削除処理を実行する（ステップＳ３６）。
【００４６】
そして、プロセッサ２１は、メールフォルダ２０Ｃ内の全メールの検索が終了したか否かを判定する（ステップＳ３７）。プロセッサ２１は、全メールの検索が終了した場合（ステップＳ３７肯定）、削除対象のエントリを削除し（ステップＳ３８）、図７に示す処理動作を終了する。尚、エントリの削除は、エントリ削除の他に、削除フォルダに移動された添付ファイル及び本文等のメールを削除する処理である。
【００４７】
また、プロセッサ２１は、エントリの削除指示を検出しなかった場合（ステップＳ３１否定）、図７に示す処理動作を終了する。また、プロセッサ２１は、削除対象のエントリに対応するアドレスがない場合（ステップＳ３２否定）、削除対象のエントリを削除すべく、ステップＳ３８に移行する。
【００４８】
また、プロセッサ２１は、該当メールがない場合（ステップＳ３４否定）、メールフォルダ２０Ｃ内の全メールの検索が終了したか否かを判定すべく、ステップＳ３７に移行する。また、プロセッサ２１は、該当メールに添付ファイルがない場合（ステップＳ３５否定）、該当メールを削除フォルダに移動し（ステップＳ３９）、全メールの検索が終了したか否かを判定すべく、ステップＳ３７に移行する。また、プロセッサ２１は、全メールの検索が終了していない場合（ステップＳ３７否定）、メールフォルダ２０Ｃ内のメールを検索すべく、ステップＳ３４に移行する。
【００４９】
図７に示す特定メール削除処理においてプロセッサ２１は、電話帳２０Ａ内のエントリに対して削除指示が検出されると、削除対象のエントリのアドレス２０１Ｃを用いて特定個人のメールをメールフォルダ２０Ｃから検索する。更に、プロセッサ２１は、そのメールを削除フォルダに移動し、電話帳２０Ａの削除指示のエントリ及び削除フォルダ内の特定個人のメールを削除する。その結果、利用者は、電話帳２０Ａ内のエントリに対応した特定個人のエントリだけでなく、その特定個人のメールを添付ファイルも含めて簡単に削除できる。
【００５０】
図８は、添付ファイル削除処理に関わる携帯電話機１のプロセッサ２１の処理動作の一例を示すフローチャートである。図８に示す添付ファイル削除処理は、該当メールの添付ファイルのタイプに応じて添付ファイルを削除する処理である。
【００５１】
図８においてプロセッサ２１は、該当メールの添付ファイルが本文一体型であるか否かを判定する（ステップＳ４１）。プロセッサ２１は、該当メールの添付ファイルが本文一体型でない場合（ステップＳ４１否定）、別体型と判断し、フォルダ内の添付ファイルを削除フォルダに移動する（ステップＳ４２）。更に、プロセッサ２１は、本文を削除フォルダに移動し（ステップＳ４３）、図８に示す処理動作を終了する。
【００５２】
また、プロセッサ２１は、該当メールの添付ファイルが本文一体型の場合（ステップＳ４１肯定）、検索したメールを削除フォルダに移動し（ステップＳ４４）、図８に示す処理動作を終了する。
【００５３】
図８に示す添付ファイル削除処理においてプロセッサ２１は、該当メールの添付ファイルが本文一体型の場合、該当メールを削除フォルダに移動する。その結果、プロセッサ２１は、本文と一緒に添付ファイルを削除フォルダに移動できる。
【００５４】
また、プロセッサ２１は、該当メールの添付ファイルが別体型の場合、該当メールの本文を削除フォルダに移動すると共に、フォルダ内に格納された添付ファイルを削除フォルダに移動する。その結果、プロセッサ２１は、該当メールが別体型の場合でも、本文と一緒に添付ファイルを削除フォルダに移動できる。
【００５５】
実施例２のプロセッサ２１は、電話帳２０Ａ内のエントリに対する削除指示が検出されると、削除対象のエントリに格納されたアドレス２０１Ｃを用いて特定個人のメールをメールフォルダ２０Ｃから検索する。そして、特定個人のメールが検索された場合、そのメールを削除フォルダに移動し、特定個人のエントリと一緒に、削除フォルダ内の特定個人のメールを削除する。その結果、利用者は、特定個人のエントリの削除と一緒に、特定個人のメールを簡単に削除できる。
【００５６】
尚、前述した実施例１では、削除指示のエントリの特定個人の写真画像を検索して削除し、上記実施例２では、削除指示のエントリの特定個人のメールを検索して削除した。しかしながら、削除指示のエントリに対応した特定個人の写真画像及びメール両方を検索して削除しても良く、この場合の実施の形態につき、実施例３として以下に説明する。
【実施例３】
【００５７】
実施例３の携帯電話機１について説明する。尚、実施例１及び２の携帯電話機１と同一の構成には同一符号を付すことで、その重複する構成及び動作の説明については省略する。図９は、特定情報削除処理に関わる携帯電話機１のプロセッサ２１の処理動作の一例を示すフローチャートである。図９に示す特定情報削除処理は、削除指示のエントリに対応した特定個人の写真画像及びメールを削除する処理である。
【００５８】
図９においてプロセッサ２１は、電話帳２０Ａ内のエントリの削除指示を検出したか否かを判定する（ステップＳ５１）。プロセッサ２１は、エントリの削除指示を検出した場合（ステップＳ５１肯定）、削除対象のエントリに対応した特定個人のアドレスがあるか否かを判定する（ステップＳ５２）。プロセッサ２１は、削除対象のエントリに対応した特定個人のアドレスがある場合（ステップＳ５２肯定）、特定個人のアドレスを用いて該当アドレスのメールをメールフォルダ２０Ｃから検索する（ステップＳ５３）。
【００５９】
プロセッサ２１は、特定個人の該当メールがあるか否かを判定する（ステップＳ５４）。プロセッサ２１は、該当メールがある場合（ステップＳ５４肯定）、該当メールに添付ファイルがあるか否かを判定する（ステップＳ５５）。プロセッサ２１は、該当メールに添付ファイルがある場合（ステップＳ５５肯定）、添付ファイルを含む本文を削除フォルダに移動する、図８に示す添付ファイル削除処理を実行する（ステップＳ５６）。
【００６０】
更に、プロセッサ２１は、メールフォルダ２０Ｃ内の全メールの検索が終了したか否かを判定する（ステップＳ５７）。プロセッサ２１は、全メールの検索が終了した場合（ステップＳ５７肯定）、削除対象のエントリに対応する特定個人の認証用画像２０１Ｅがあるか否かを判定する（ステップＳ５８）。
【００６１】
プロセッサ２１は、認証用画像２０１Ｅがある場合（ステップＳ５８肯定）、認証用画像２０１Ｅの顔認識で特定個人の写真画像を画像フォルダ２０Ｂから検索する（ステップＳ５９）。プロセッサ２１は、認証用画像２０１Ｅの顔認識で一致した特定個人の写真画像があるか否かを判定する（ステップＳ６０）。プロセッサ２１は、認証用画像２０１Ｅの顔認識で一致した特定個人の写真画像がある場合（ステップＳ６０肯定）、写真画像内に他の顔画像があるか否かを判定する（ステップＳ６１）。
【００６２】
プロセッサ２１は、写真画像内に他の顔画像がある場合（ステップＳ６１肯定）、図５に示す写真内顔認識処理を実行する（ステップＳ６２）。そして、プロセッサ２１は、認証用画像２０１Ｅの顔認識で画像フォルダ２０Ｂ内の全写真画像の検索が終了したか否かを判定する（ステップＳ６３）。プロセッサ２１は、認証用画像２０１Ｅの顔認識で全写真画像の検索が終了した場合（ステップＳ６３肯定）、削除対象のエントリを削除すべく（ステップＳ６４）、図９に示す処理動作を終了する。尚、プロセッサ２１は、電話帳２０Ａ内の削除対象のエントリの他に、削除フォルダに格納された特定個人の写真画像、メールや添付ファイル等を削除できる。
【００６３】
プロセッサ２１は、エントリの削除指示を検出しなかった場合（ステップＳ５１否定）、図９に示す処理動作を終了する。また、プロセッサ２１は、削除対象のエントリに対応したアドレスがない場合（ステップＳ５２否定）、削除対象のエントリを削除すべく、ステップＳ６４に移行する。
【００６４】
プロセッサ２１は、該当メールがない場合（ステップＳ５４否定）、全メールの検索が終了したか否かを判定すべく、ステップＳ５７に移行する。プロセッサ２１は、該当メールに添付ファイルがない場合（ステップＳ５５否定）、該当メールを削除フォルダに移動し（ステップＳ６５）、全メールの検索が終了したか否かを判定すべく、ステップＳ５７に移行する。
【００６５】
プロセッサ２１は、全メールの検索が終了していない場合（ステップＳ５７否定）、アドレスを用いて該当メールを検索すべく、ステップＳ５３に移行する。
【００６６】
プロセッサ２１は、削除対象のエントリに対応した認証用画像２０１Ｅがない場合（ステップＳ５８否定）、削除対象のエントリを削除すべく、ステップＳ６４に移行する。
【００６７】
また、プロセッサ２１は、認証用画像２０１Ｅの顔認識で一致した特定個人の写真画像がない場合（ステップＳ６０否定）、全写真画像の検索が終了したか否かを判定すべく、ステップＳ６３に移行する。また、プロセッサ２１は、写真画像内に他の顔画像がない場合（ステップＳ６１否定）、この写真画像を削除フォルダに移動し（ステップＳ６６）、画像フォルダ２０Ｂ内の全写真画像の検索が終了したか否かを判定すべく、ステップＳ６３に移行する。
【００６８】
また、プロセッサ２１は、全写真画像の検索が終了していない場合（ステップＳ６３否定）、認証用画像２０１Ｅの顔認識で写真画像を検索すべく、ステップＳ５９に移行する。
【００６９】
図９に示す特定情報削除処理においてプロセッサ２１は、電話帳２０Ａ内のエントリに対して削除指示が検出されると、削除対象のエントリのアドレス２０１Ｃ及び認証用画像２０１Ｅを用いて特定個人の写真画像及びメールを検索する。そして、プロセッサ２１は、検索された写真画像内に他のエントリの個人に関わる顔画像を含まれていない場合、その写真画像を削除フォルダに移動すると共に、特定個人のメールを削除フォルダに移動する。更に、プロセッサ２１は、電話帳２０Ａの削除指示の特定個人のエントリ及び削除フォルダ内の特定個人の写真画像及びメールを削除する。その結果、利用者は、電話帳２０Ａ内のエントリに対応した特定個人のエントリだけでなく、その特定個人の写真画像及びメールを簡単に削除できる。
【００７０】
実施例３のプロセッサ２１では、電話帳２０Ａ内のエントリに対して削除指示が検出されると、削除対象のエントリのアドレス２０１Ｃ及び認証用画像２０１Ｅを用いて特定個人の写真画像及びメールを検索する。そして、プロセッサ２１は、検索された写真画像内に他のエントリの個人に関わる顔画像を含まれていない場合、その写真画像を削除フォルダに移動すると共に、特定個人のメールを削除フォルダに移動する。そして、プロセッサ２１は、電話帳２０Ａの削除指示の特定個人のエントリ、削除フォルダ内の特定個人の写真画像及びメールを削除する。その結果、利用者は、電話帳２０Ａ内のエントリに対応した特定個人のエントリだけでなく、その特定個人の写真画像及びメールを簡単に削除できる。
【００７１】
尚、上記実施例では、通信装置として携帯電話機１を例示したが、例えば、スマートフォンやコンピュータ等であっても良く、電話帳機能を備えた端末装置に適用可能である。
【００７２】
また、上記実施例では、電話帳２０Ａ、画像フォルダ２０Ｂやメールフォルダ２０Ｃを記憶部１９等に格納したが、ＳＤカード部２０等の外部記憶媒体等に格納しても良い。
【００７３】
また、上記実施例１及び３では、電話帳２０Ａ内の特定個人のエントリ削除に伴って、特定個人の写真画像を画像フォルダ２０Ｂから削除したが、写真画像に限定されるものではなく、例えば、特定個人の動画画像でも良い。
【００７４】
また、上記実施例１〜３の機能は、携帯電話機１のユーザの設定操作で予めオン又はオフが設定されても良い。実施例１〜３の機能の一又は複数の機能をユーザの設定操作で予めオン又はオフされることで、電話帳２０Ａ内のエントリ削除に伴う各種情報の削除をユーザの意図に応じて行うことができる。
【００７５】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００７６】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【００７７】
ところで、本実施例で説明した各種の処理は、予め用意されたプログラムをコンピュータで実行することで実現できる。そこで、以下では、上記実施例と同様の機能を有するプログラムを実行するコンピュータの一例を説明する。図１０は、制御プログラムを実行するコンピュータを示す説明図である。
【００７８】
図１０に示す制御プログラムを実行するコンピュータ１００では、ＨＤＤ（Hard  Disk  Drive）１１０、ＲＡＭ１２０、ＲＯＭ１３０及びＣＰＵ１４０を有する。更に、コンピュータ１００は、操作部１５０、表示部１６０及び通信部１７０を有する。そして、コンピュータ１００は、ＨＤＤ１１０、ＲＡＭ１２０、ＲＯＭ１３０、ＣＰＵ１４０、操作部１５０、表示部１６０及び通信部１７０がバス１８０を介して接続される。
【００７９】
そして、ＨＤＤ１１０には、上記実施例と同様の機能を発揮する制御プログラムが予め記憶されている。尚、ＨＤＤ１１０ではなく、ＲＯＭ１３０や、図示せぬドライブでコンピュータ読取可能な記録媒体に制御プログラムが記録されていても良い。また、記録媒体としては、例えば、ＣＤ−ＲＯＭ、ＤＶＤディスク、ＵＳＢメモリ等の可搬型記録媒体、フラッシュメモリ等の半導体メモリ等でも良い。制御プログラムとしては、図１０に示すように、検出プログラム１１０Ａ、判定プログラム１１０Ｂ及び削除プログラム１１０Ｃである。尚、プログラム１１０Ａ、１１０Ｂ及び１１０Ｃについては、適宜統合又は分散してもよい。
【００８０】
そして、ＣＰＵ１４０が、これらのプログラム１１０Ａ、１１０Ｂ及び１１０ＣをＨＤＤ１１０から読み出し、これら読み出された各プログラムを実行する。そして、ＣＰＵ１４０は、図１０に示すように、各プログラム１１０Ａ、１１０Ｂ及び１１０Ｃを、検出プロセス１４０Ａ、判定プロセス１４０Ｂ及び削除プロセス１４０Ｃとして機能することになる。ＲＡＭ１２０には、エントリ毎に個人を識別する識別情報が格納された電話帳が格納されている。また、ＲＡＭ１２０には、各個人に関わる情報が格納されている。
【００８１】
ＣＰＵ１４０は、電話帳内の任意のエントリに対する削除指示を検出する。ＣＰＵ１４０は、削除指示が検出されると、当該削除指示のエントリに対応した当該個人に関わる情報がＲＡＭ１２０内にあるか否かを判定する。そして、ＣＰＵ１４０は、当該削除指示のエントリに対応した当該個人に関わる情報がＲＡＭ１２０内にある場合、当該個人に関わる情報をＲＡＭ１２０から削除する。その結果、電話帳内の特定個人に関連する情報を簡単に削除できる。
【符号の説明】
【００８２】
１  携帯電話機
１２  無線部
１６  カメラ部
１９  記憶部
２１  プロセッサ
【図１】
0005903961.tif 000002
【図２】
0005903961.tif 000003
【図３】
0005903961.tif 000004
【図４】
0005903961.tif 000005
【図５】
0005903961.tif 000006
【図６】
0005903961.tif 000007
【図７】
0005903961.tif 000008
【図８】
0005903961.tif 000009
【図９】
0005903961.tif 000010
【図１０】
0005903961.tif 000011